(57)【要約】【課題】  内蔵型のアンテナの利得の劣化を防止することができる無線通信端末を提供する。【解決手段】  第１アンテナ３２が配置される第１回路基板２２と、第１回路基板上に設けられ、第１アンテナと第１回路基板の厚さ方向にて重なり合う箇所が切り欠かれた形状に形成される導電性のシールドケース２４と、第１回路基板の厚さ方向にて第１アンテナと重なり合う位置に設けられる非導電性のカバー２６と、複数のキースイッチ４８と複数のキースイッチを第１回路基板に電気的に接続する導電部とを有し、シールドケース及びカバー上に載置され、導電部が第１回路基板の厚さ方向にて第１アンテナと重なり合わない箇所に形成される第２回路基板２８と、第１回路基板、シールドケース、カバー、及び第２回路基板を内部に収納する筐体８とを備えるようにした。【選択図】      図１０
2006238204.tif 000002
【特許請求の範囲】
【請求項１】
第１アンテナ及び電子部品が配置される第１回路基板と、
前記電子部品を覆って前記第１回路基板上に設けられ、前記第１アンテナと第１回路基板の厚さ方向にて重なり合う箇所が切り欠かれた形状に形成される導電性のシールドケースと、
第１回路基板上にて前記シールドケースに隣接すると共に、前記第１回路基板の厚さ方向にて前記第１アンテナと重なり合う位置に設けられる非導電性のカバーと、
複数のキースイッチと前記複数のキースイッチを前記第１回路基板に電気的に接続する導電部とを有し、前記シールドケース及び前記カバー上に載置され、前記導電部が前記第１回路基板の厚さ方向にて前記第１アンテナと重なり合わない箇所に形成される第２回路基板と、
前記第１回路基板、前記シールドケース、前記カバー、及び前記第２回路基板を内部に収納する筐体と
を備えたことを特徴とする無線通信端末。
【請求項２】
前記第２回路基板上に重ねられて、前記複数のキースイッチのそれぞれを押圧可能な複数のキーが形成されたキー構造シートを有し、
前記筐体に、前記複数のキーのそれぞれの押圧面を外部に露出させるキー孔が形成され、
前記第１アンテナは、前記第１回路基板におけるその幅方向及び／又は長さ方向の端部の、前記第１回路基板の厚さ方向にて前記キー孔と重なり合わない位置に配置されることを特徴とする請求項１に記載の無線通信端末。
【請求項３】
前記第２回路基板は、前記導電部に、基準電位が印加される第２回路基板の基準電位パターンを含んでいることを特徴とする請求項１又は請求項２に記載の無線通信端末。
【請求項４】
前記第１回路基板は、当該第１回路基板の基準電位が印加される基準電位パターンを有し、当該基準電位パターンが第１回路基板の厚さ方向にて前記第１アンテナと重なり合わない位置に配されていることを特徴とする請求項１ないし３のいずれか一に記載の無線通信端末。
【請求項５】
前記筐体内部に、前記第１回路基板により給電される第２アンテナを備え、
前記第１回路基板は、前記第１回路基板の基準電位パターンが第１回路基板の厚さ方向にて前記第２アンテナと重なり合わない位置に配されていることを特徴とする請求項４に記載の無線通信端末。
【請求項６】
前記第２アンテナは、前記第１回路基板の厚さ方向にて前記シールドケースと、重ならない位置にて前記第１回路基板から給電を受けることを特徴とする請求項５に記載の無線通信端末。
【発明の詳細な説明】
【技術分野】
【０００１】
本発明は、筐体の内部にアンテナが設けられている無線通信端末に関するものである。
【背景技術】
【０００２】
従来の携帯電話機等の無線通信端末には、ユーザーがこの無線通信端末に搭載されている伸縮式のアンテナをその長さ方向に引伸ばしてから、通話等の通信を行なうようになっているものがあった。
【０００３】
しかしながら、このような伸縮式のアンテナは、このアンテナを引伸ばした分だけ無線通信端末の長さ寸法が大きくなるため、無線通信端末のコンパクト化の障害となっていた。このため、このような伸縮式のアンテナの代わりに、内蔵型のアンテナを設けて、通信時にもコンパクトな状態を維持することができるようにした無線通信端末があった。（例えば、特許文献１ないし３参照）。
【特許文献１】特開２００３−１０１６２３号公報
【特許文献２】特開平１１−３１２９１２号公報
【特許文献３】特開平１０−１６３７４８号公報
【発明の開示】
【発明が解決しようとする課題】
【０００４】
しかしながら、前記特許文献１ないし３のような内蔵型のアンテナが設けられた無線通信端末は、このアンテナが筐体内の回路基板等におけるグランド（基準電位が導通する金属部分）の近傍に配置されることになるため、伸縮式のアンテナが搭載されている無線通信端末と比べ、アンテナの利得が劣化してしまうという問題があった。
【０００５】
そこで本発明は、上記問題点に鑑みて、内蔵型のアンテナの利得の劣化を防止することができる無線通信端末を提供することを課題とするものである。
【課題を解決するための手段】
【０００６】
上記課題を解決するために、本発明の無線通信端末は、
第１アンテナ及び電子部品が配置される第１回路基板と、
前記電子部品を覆って前記第１回路基板上に設けられ、前記第１アンテナと第１回路基板の厚さ方向にて重なり合う箇所が切り欠かれた形状に形成される導電性のシールドケースと、
第１回路基板上にて前記シールドケースに隣接すると共に、前記第１回路基板の厚さ方向にて前記第１アンテナと重なり合う位置に設けられる非導電性のカバーと、
複数のキースイッチと前記複数のキースイッチを前記第１回路基板に電気的に接続する導電部とを有し、前記シールドケース及び前記カバー上に載置され、前記導電部が前記第１回路基板の厚さ方向にて前記第１アンテナと重なり合わない箇所に形成される第２回路基板と、
前記第１回路基板、前記シールドケース、前記カバー、及び前記第２回路基板を内部に収納する筐体とを備えたことを特徴とするものである。
【０００７】
また、本発明による無線通信端末は、
前記第２回路基板上に重ねられて、前記複数のキースイッチのそれぞれを押圧可能な複数のキーが形成されたキー構造シートを有し、
前記筐体に、前記複数のキーのそれぞれの押圧面を外部に露出させるキー孔が形成され、
前記第１アンテナは、前記第１回路基板におけるその幅方向及び／又は長さ方向の端部の、前記第１回路基板の厚さ方向にて前記キー孔と重なり合わない位置に配置されるようになっていてもよい。
【０００８】
また、本発明による無線通信端末は、前記第２回路基板は、前記導電部に、基準電位が印加される第２回路基板の基準電位パターンを含んでいるようになっていてもよい。
【０００９】
また、本発明による無線通信端末は、前記第１回路基板は、当該第１回路基板の基準電位が印加される基準電位パターンを有し、当該基準電位パターンが第１回路基板の厚さ方向にて前記第１アンテナと重なり合わない位置に配されているようになっていてもよい。
【００１０】
また、本発明による無線通信端末は、
前記筐体内部に、前記第１回路基板により給電される第２アンテナを備え、
前記第１回路基板は、前記第１回路基板の基準電位パターンが第１回路基板の厚さ方向にて前記第２アンテナと重なり合わない位置に配されているようになっていてもよい。
【００１１】
また、本発明による無線通信端末は、前記第２アンテナは、前記第１回路基板の厚さ方向にて前記シールドケースと、重ならない位置にて前記第１回路基板から給電を受けるようになっていてもよい。
【発明の効果】
【００１２】
このような本発明の無線通信端末によれば、内蔵型のアンテナの利得の劣化を防止することができる。
【発明を実施するための最良の形態】
【００１３】
以下、本発明に係る無線通信端末の実施の形態について、図面に基づいて具体的に説明する。
図１ないし図１２は、本発明の一実施の形態に係る折畳み型携帯電話機２（無線通信端末に相当）について説明するために参照する図である。
【００１４】
図１に示すように、本実施の形態に係る折畳み型携帯電話機２は、ヒンジ４を介して回動自在に連結される第１筐体６と第２筐体８とを備えている。第１筐体６は、表示部１０及びスピーカー１２を有している。また、第２筐体８は操作部１４及びマイクロホン１６を有しており、マイクロホン１６は第２筐体８の長さ方向におけるヒンジ４とは反対側の端部寄りの位置に配置されている。
【００１５】
第２筐体８は、操作部１４を有する上側ケース１８と、その裏側の下側ケース２０を備えて構成されている。図２に示すように、この上側ケース１８と下側ケース２０の間に形成される内部の空間には、下側ケース２０側から順に、リジッド基板２２（第１回路基板に相当）、シールドケース２４、カバー２６、キーＦＰＣ（フレキシブル基板）２８（第２回路基板に相当）、及びキー構造シート３０が収納されている。
【００１６】
リジッド基板２２には、その上側ケース１８側の第１面２２ａ、及びこの第１面２２ａとは反対側の第２面２２ｂに、図示しない各種の電子部品が配置されている。また、リジッド基板２２の第２面２２ｂ上には、内蔵型のアンテナである第１アンテナ３２が固定されている。
【００１７】
この第１アンテナ３２は、図３に示すように、リジッド基板２２におけるその長さ方向のヒンジ４側の端部であって、その幅方向の一方の端部に配置されている。リジッド基板２２は、その基準電位が導通する第１面２２ａ上の基準電位パターン３６が、このリジッド基板２２の厚さ方向において第１アンテナ３２と重なり合わないような位置に形成されている。
【００１８】
また、リジッド基板２２は、図４に示すように、その裏側の第２面２２ｂ側においても、基準電位が導通する基準電位パターン３８が、第１アンテナ３２と重なり合わないような位置に形成されている。第１アンテナ３２は、第２面２２ｂ上に形成された図示しない配線パターンと回路接続して給電される。
【００１９】
また、リジッド基板２２には、図２に示すように、その長さ方向におけるマイクロホン１６側の端部２２ｃに、やはり内蔵型のアンテナである第２アンテナ３４が取り付けられるようになっている。この第２アンテナ３４には、図２及び図５に示すように、リジッド基板２２の端部２２ｃに第２面２２ｂ側から覆い被さるための取付け凹部３９が形成されており、第２アンテナ３４は、リジッド基板２２の端部２２ｃを包むようにして、リジッド基板２２に重なって組み込まれる。
【００２０】
また、この第２アンテナ３４には、図２及び図５に示すように、嵌合穴４０が形成されている。この嵌合穴４０は、図２に示すように、下側ケース２０におけるその長さ方向のマイクロホン１６側の端部の内側に形成された、突起２０ａに嵌合するようになっている。
【００２１】
第２アンテナ３４には、図５及び図６に示すように、その表面上に導体パターン４２がアンテナとして形成されている。この導体パターン４２は、１本の経路が幾重にも互い違いに折り曲げられたような形状に形成されており、図５に示すこの導体パターン４２の両方の端部４２ａ，４２ｂのそれぞれは、図２及び図５に示すように、不図示のバネ等により取付け凹部３９におけるリジッド基板２２の第２面２２ｂに当接する面と垂直の方向に付勢され、この取付け凹部３９内に先端部分が突出するように設けられたピン形状の端子４３ａ，４３ｂと導通している。
【００２２】
この端子４３ａ，４３ｂのそれぞれは、図２に示すように、第２アンテナ３４がリジッド基板２２の端部２２ｃを包むようにして、このリジッド基板２２に重なって組み込まれたときに、図４に示すリジッド基板２２の第２面２２ｂ側に形成された給電端子２２ｄ，２２ｅと接触して導通することにより、第２アンテナ３４はリジッド基板２２から給電されるようになっている。
【００２３】
折畳み型携帯電話機２は、ＣＤＭＡ（Ｃｏｄｅ  Ｄｉｖｉｓｉｏｎ  Ｍｕｌｔｉｐｌｅ  Ａｃｃｅｓｓ）方式だけでなく、ＥＶＤＯ（ＥＶｏｌｕｔｉｏｎ  Ｄａｔａ  Ｏｎｌｙ）方式の通信を行なうことができるようになっており、このＥＶＤＯ方式の通信を行なう場合には、第１アンテナ３２及び第２アンテナ３４の両方を用いて、例えば受信方式の１つであるダイバーシチ受信を行なうようになっている。なお、ダイバーシチ受信を行なう必要がない場合には、第２アンテナ３４のみを用いるようにしてもよい。
【００２４】
ダイバーシチ受信を行なう場合には、第１アンテナ３２と第２アンテナ３４は、その指向特性が異なっていると共に、図２に示すように、第２筐体８内での配置される位置が互いに離れているため、折畳み型携帯電話機２は、第１アンテナ３２又は第２アンテナ３４のいずれかにより、良好に受信した方の信号を用いたり、双方のアンテナで得た受信信号を合成して受信環境をより向上させたりすることができる。
【００２５】
次に、図７に示すように、シールドケース２４は、底面（リジッド基板２２側）の開放された箱体状であって、リジッド基板２２の第１面２２ａ上の不図示の高周波回路などの電子部品を覆って、この第１面２２ａとの間に閉空間を形成するように取付けられる。シールドケース２４は、リジッド基板２２の第１面２２ａと対向してほぼ平坦な平面である天面４４を有しており、この天面４４は、シールドケース２４がリジッド基板２２に取付けられた状態で、このリジッド基板２２と平行となるように形成されている。
【００２６】
また、図８に示すように、このシールドケース２４の天面４４は、その平面形状が略矩形であって、幅方向の寸法が、図３に示すリジッド基板２２の幅方向の寸法とほぼ同じになっている。
【００２７】
そして、図８に示すように、このシールドケース２４の天面４４は、その長さ方向（ヒンジ４側とマイクロホン１６側とを結ぶ方向）のヒンジ４側における幅方向の一方の端部に切欠き部４５が形成されている。このことにより、シールドケース２４は、リジッド基板２２に取付けられた状態において、このリジッド基板２２に固定されている、図３に示す第１アンテナ３２と、このリジッド基板２２の厚さ方向に重なり合わないようになっている。
【００２８】
また、図７に示すように、シールドケース２４は、リジッド基板２２に取付けられた状態において、このリジッド基板２２の端部２２ｃに取付けられた第２アンテナ３４と、リジッド基板２２の長さ方向に離れて配置されるので、シールドケース２４と第２アンテナ３４は、互いにリジッド基板２２の厚さ方向に重なり合わないようになっている。
【００２９】
このシールドケース２４は、硬質の合成樹脂製であって、その表面全体に蒸着法等による金属層が形成されており、外部からのノイズがリジッド基板２２の第１面２２ａ上の図示しない複数の電子部品に作用するのを防いだり、この図示しない複数の電子部品のそれぞれの周囲に生じる電場が、互いにノイズとして作用するのを防いだりするよう導電性を持たせている。
【００３０】
例えば、シールドケース２４は、リジッド基板２２の第１面２２ａ上に配置される不図示のＲＦ（Ｒａｄｉｏ  Ｆｒｅｑｕｅｎｃｙ）モジュールから生じる電場の変化を吸収して、この電場の変化が、同じくリジッド基板２２の第１面２２ａ上に配置される不図示のベースバンドチップセットにノイズとして作用するのを防ぐようになっている。
【００３１】
また、シールドケース２４は、上ケース１８と下ケース２０の間に組み込んだ際には、リジッド基板２２の第１面２２ａ上の基準電位パターン３６（図３参照）と接触して、その表面の金属層が基準電位パターン３６と同じ電位となるようになっている。
【００３２】
また、図８に示すように、シールドケース２４の天面４４における切欠き部４５の形状を埋めるように接して互いに隣り合うように、カバー２６が配置されており、このカバー２６は、図７に示すように、シールドケース２４の天面４４と同じ高さの天面４６を有している。
【００３３】
したがって、カバー２６は、図３に示すリジッド基板２２の第１アンテナ３２と、このリジッド基板２２の厚さ方向に重なり合うような位置に配置されている。そして、シールドケース２４とカバー２６は、図７に示すように、リジッド基板２２に取付けられた状態で、互いの天面４４，４６が連続した平面を形成するようになっている。このカバー２６は、非導電性の硬質の合成樹脂製で形成されており、シールドケース２４と異なって、その表面に金属層は形成されていない。
【００３４】
次に、図２に示すように、シールドケース２４及びカバー２６のそれぞれの天面４４，４６の上には、キーＦＰＣ２８が載置される。キーＦＰＣ２８は、その上側ケース１８側の第１面２８ａに複数のキースイッチ４８を有しており、この第１面２８ａとは反対側の第２面２８ｂが、シールドケース２４及びカバー２６のそれぞれの天面４４，４６の両方に掛かって接触するように載置される。
【００３５】
キーＦＰＣ２８は、図９に示すように、それぞれの平面方向の外形が同一である絶縁層５０、信号線層５２、絶縁層５４、グランド層５６、及び絶縁層５８が順に積重ねられた多層構造のフレキシブルプリント基板６０、信号線層５２に設けられたメタルドーム６２、及び反射シート６４により構成されている。反射シート６４は、柔軟性を有しており、フレキシブルプリント基板６０の絶縁層５０上に積重ねられて配置されている。
【００３６】
絶縁層５０，５４，５８のそれぞれは、非導電性のシートである。信号線層５２は、非導電性のフィルム上に、後述するようなスイッチ端子６６及び配線パターン７６等が形成されたシートである。また、グランド層５６は、非導電性のフィルム上に、後述するような基準電位パターン７２及び配線パターン７４等が形成されたシートである。
【００３７】
信号線層５２の絶縁層５０側の面５２ａには、図１０に示すように、円環状の端子６６ａと、この円環状の端子６６ａの中央に配置される端子６６ｂが組合された、複数のスイッチ端子６６が形成されている。
【００３８】
また、図９に示すメタルドーム６２は、その全体の形状が椀状となるように、立体的に湾曲して形成された金属板である。このメタルドーム６２は、図１０に示す信号線層５２のスイッチ端子６６上にかぶせるように配置され、その椀状の形状の頂点が押圧されると、スイッチ端子６６の端子６６ａと端子６６ｂの両方に接触して電気導通させるようになっている。図２のキースイッチ４８は、このメタルドーム６２とスイッチ端子６６により構成されている。
【００３９】
また、図１０に示すように、信号線層５２には複数のＬＥＤ６８（発光ダイオード）が設けられている。また、図面が複雑化しないように１本だけが例として図示されているが、スイッチ端子６６やＬＥＤ６８のそれぞれに、直接、又は後述の配線パターン７４を介して接続する、複数の配線パターン７６が形成されている。スイッチ端子６６やＬＥＤ６８のそれぞれは、配線パターン７６や、キーＦＰＣ２８とリジッド基板２２を回路接続する不図示の電気配線等を介して、リジッド基板２２に電気的に接続している。
【００４０】
信号線層５２のスイッチ端子６６上に配置されたメタルドーム６２は、図９に示すように、このメタルドーム６２の位置に対応して形成された絶縁層５０のドーム用孔７０から反射シート６４側に露出するようになっている。また、メタルドーム６２は、反射シート６４が絶縁層５０上に積重ねられると、その反射シート６４に覆われて脱落しないようになっている。
【００４１】
また、図示しないが、絶縁層５０及び反射シート６４のそれぞれには、信号線層５２の複数のＬＥＤ６８（図１０参照）のそれぞれに対応する位置に孔が形成されており、ＬＥＤの発光を遮らないようになっている。
【００４２】
また、図９に示すフレキシブルプリント基板６０における、グランド層５６の絶縁層５４側の面５６ａ上には、図１１に示すように、基準電位が導通する基準電位パターン７２が形成されている。この基準電位パターン７２は、グランド層５６の大部分の領域を覆っているが、このグランド層５６の長さ方向のヒンジ４側における幅方向の一方の端部の領域Ｓは覆わないように形成されている。
【００４３】
図２に示すように、キーＦＰＣ２８が、リジッド基板２２、シールドケース２４、及びカバー２６と互いに重ね合わされて、第２筐体８（図１参照）の内部に収納された状態のときには、このキーＦＰＣ２８は、図１０及び図１１に示すように、リジッド基板２２の第１アンテナ３２と、リジッド基板２２の厚さ方向に重なり合わないようになっている。ここで、図１０及び図１１中の二点鎖線の図形は、第１アンテナ３２であって、信号線層５２及びグランド層５６に対する、リジッド基板２２の厚さ方向と直角方向の相対位置を表している。また、キーＦＰＣ２８は、図２に示すように、マイクロホン１６側の第２アンテナ３４とも、リジッド基板２２の厚さ方向に重なり合わないようになっている。
【００４４】
したがって、図１０に示すように、信号線層５２は、そのスイッチ端子６６や配線パターン７６等のような導電性を有する部分が、リジッド基板２２の第１アンテナ３２と、リジッド基板２２の厚さ方向に重なり合わないようになっている。また、図示しないが、信号線層５２は、そのスイッチ端子６６や配線パターン７６等のような導電性を有する部分が、マイクロホン１６側の第２アンテナ３４とも、リジッド基板２２の厚さ方向に重なり合わないようになっている。
【００４５】
そして、図１１に示すように、グランド層５６は、その基準電位パターン７２や配線パターン７４等のような導電性を有する部分が、リジッド基板２２の第１アンテナ３２と、リジッド基板２２の厚さ方向に重なり合わないようになっている。また、図示しないが、グランド層５６は、その基準電位パターン７２や配線パターン７４等のような導電性を有する部分が、マイクロホン１６側の第２アンテナ３４とも、リジッド基板２２の厚さ方向に重なり合わないようになっている。
【００４６】
さらに、図１１に示すように、このグランド層５６の基準電位パターン７２は、このグランド層５６の領域Ｓ（すなわち、キーＦＰＣ２８をシールドケース２４及びカバー２６のそれぞれの天面４４，４６の両方に掛かるように載置した際に、カバー２６上に重なる領域）を覆わないように形成されているため、この基準電位パターン７２は、第１アンテナ３２への影響が大きい電場の空間と、リジッド基板２２の厚さ方向に重なり合わないようになっている。
【００４７】
また、図１１においてこの図面が複雑化しないように１本だけが例として図示されているが、グランド層５６の基準電位パターン７２内には、ジャンパー線の役割を果たす複数の配線パターン７４が形成されている。この配線パターン７４は、基準電位パターン７２と互いに導通しないように形成されている。
【００４８】
配線パターン７４の両端部７４ａ，７４ｂのそれぞれは、信号線層５２とグランド層５６との間の絶縁層５４（図９参照）に形成された図示しないスルーホールを介して、図１０に示す信号線層５２の配線パターン７６の端部７６ａ、及びスイッチ端子６６の端子６６ｂに導通している。
【００４９】
また、図１１中において、グランド層５６の図示されている配線パターン７４以外の他の複数の配線パターン７４もジャンパー線として、図１０に示す信号線層５２の図示されている配線パターン７６、スイッチ端子６６、及びＬＥＤ６８以外の他の複数のそれらを互いに導通させるようになっている。このため、信号線層５２の複数の配線パターン７６は、この信号線層５２上において互いに交差しないようになっている。
【００５０】
次に、図２に示すように、キーＦＰＣ２８の第１面２８ａ上には、キー構造シート３０が重ねられている。このキー構造シート３０は、シリコンゴム製のシート７８上に複数のキートップ８０（キーに相当）が貼付けられている。この複数のキートップ８０のそれぞれの位置は、キーＦＰＣ２８のキースイッチ４８の位置に対応しており、このキートップ８０の押圧面が手の指等を接触させて押されると、その裏面が対応するキースイッチ４８をも押圧するようになっている。
【００５１】
また、図１及び図１２に示すように、第２筐体８の上側ケース１８には、第１筐体６と第２筐体８を互いに折畳んだときに表示部１０の表示面と対向する操作面８１に、複数のキー孔８２が形成されている。それぞれのキー孔８２は、その孔形状の一部が操作面８１の外形の外側に開放されないような位置に形成されている。各キー孔８２からは、キー構造シート３０のキートップ８０のそれぞれにおける、手の指等を接触させるための押圧面が外部に露出するようになっている。
【００５２】
図３に示すように、第１アンテナ３２は、リジッド基板２２におけるその長さ方向（ヒンジ４側とマイクロホン１６側を結ぶ方向）のヒンジ４側であって、幅方向（ヒンジ４の回動軸と平行な方向）の一方の端部に配置されているため、図１２に示すように、上側ケース１８に形成された複数のキー孔８２のいずれも、第２筐体８の内部に収納されているリジッド基板２２の第１アンテナ３２と、このリジッド基板２２の厚さ方向に重なり合わないようになっている。
【００５３】
このような本実施の形態に係る折畳み型携帯電話機２によれば、図１０に示す、キーＦＰＣ２８における信号線層５２のスイッチ端子６６や、配線パターン７６等の導電性を有する部分、及び図１１に示す、グランド層５６の基準電位パターン７２や配線パターン７４等の導電性を有する部分が、第１アンテナ３２とリジッド基板２２の厚さ方向に重なり合わないように形成されているため、第１アンテナ３２の利得の劣化を防止することができる。
【００５４】
また、図１２に示すように、上側ケース１８における操作面８１のそれぞれのキー孔８２は、その形状の一部が操作面８１の外形の外側に開放されないような位置に形成されているため、それぞれのキー孔８２は、上側ケース１８におけるその幅方向の端部側に一定の間隔（例えば、図１２中、寸法Ｐ）を有するようになっており、また、第１アンテナ３２がこの一定の間隔内に納まるようにリジッド基板２２におけるその幅方向の端部に配置されているので、操作面８１の平面方向におけるキー孔８２の位置と重なり合うように配置されるキースイッチ４８（図２参照）は、必ず第１アンテナ３２とリジッド基板２２の厚さ方向に重なり合わないことになるため、第１アンテナ３２の利得の劣化を防止することができる。
【００５５】
また、図１１に示すように、グランド層５６の基準電位パターン７２は、このグランド層５６の領域Ｓ（カバー４６上の領域）を覆わないように形成されているので、この基準電位パターン７２は、第１アンテナ３２への影響が大きい電場の空間と、リジッド基板２２の厚さ方向に重なり合わないようになっているため、第１アンテナ３２の利得の劣化を防止することができる。
【００５６】
また、図３及び図４に示すように、第１アンテナ３２が、リジッド基板２２におけるその長さ方向のヒンジ４側の端部であって、その幅方向の一方の端部に配置されると共に、基準電位パターン３６，３８が、このリジッド基板２２の厚さ方向において第１アンテナ３２と重なり合わないように形成されているため、第１アンテナ３２の利得の劣化を防止することができる。
【００５７】
また、図７に示すように、シールドケース２４は、第２アンテナ３４とリジッド基板２２の厚さ方向に重なり合わないようになっているため、この第２アンテナ３４の利得の劣化を防止することができる。
【００５８】
なお、本実施の形態において、第１アンテナ３２は、図３に示すように、リジッド基板２２におけるその長さ方向（ヒンジ４側とマイクロホン１６側を結ぶ方向）のヒンジ４側であって、幅方向（ヒンジ４の回動軸と平行な方向）の一方の端部に配置されるようになっていたが、第１アンテナ３２は、リジッド基板２２におけるその長さ方向のヒンジ４側又はマイクロホン１６側の端部であって、幅方向に制限のない位置に配置されるようになっていてもよい。
【００５９】
また、第１アンテナ３２は、リジッド基板２２におけるその幅方向のいずれか一方の端部であって、長さ方向に制限のない位置に配置されるようになっていてもよい。
【００６０】
このような場合には、リジッド基板２２の基準電位パターン３６，３８、シールドケース２４、フレキシブルプリント基板６０の信号線層５２及びグランド層５６の導電性を有する部分が、第１アンテナ３２とリジッド基板２２の厚さ方向に重なり合わないように形成されるようにすることはいうまでもない。
【００６１】
また、本実施の形態において、フレキシブルプリント基板６０は、その外形が、図１０及び図１１に示すように、第１アンテナ３２とリジッド基板２２の厚さ方向に重なり合わないように形成されていたが、このフレキシブルプリント基板６０の信号線層５２におけるスイッチ端子６６や、グランド層６１における基準電位パターン７２のような、導電性を有する部分が、第１アンテナ３２と重なり合わなければ、このフレキシブルプリント基板６０は、その非導電性の部分が第１アンテナ３２と重なり合うような外形に形成されていてもよい。
【００６２】
また、本実施の形態では、折畳み型携帯電話機２に対して本発明を適用した場合について説明したが、折畳み型携帯電話機２以外の携帯電話機、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置のような、他の無線通信端末についても本発明を適用することができることはいうまでもない。
【図面の簡単な説明】
【００６３】
【図１】本発明の一実施の形態に係る折畳み型携帯電話機２を示す斜視図である。
【図２】図１に示す第２筐体８の上側ケース１８及び下側ケース２０、並びにこの第２筐体８内に収納されるリジッド基板２２、シールドケース２４、カバー２６、キーＦＰＣ２８、キー構造シート３０、第１アンテナ３２、及び第２アンテナ３４の組立て前の状態を示す分解側面図である。
【図３】図２に示すリジッド基板２２のＡ−Ａ矢視の平面図である。
【図４】図３に示すリジッド基板２２の背面図である。
【図５】図２に示す第２アンテナ３４のＢ矢視図である。
【図６】図２に示す第２アンテナ３４のＣ矢視図である。
【図７】図２に示すリジッド基板２２、シールドケース２４、カバー２６、及び第２アンテナ３４の組立てた状態を示す側面図である。
【図８】図２に示すシールドケース２４及びカバー２６を示すＤ−Ｄ矢視の平面図である。
【図９】図２に示すキーＦＰＣ２８の絶縁層５０、信号線層５２、絶縁層５４、グランド層５６、絶縁層５８、メタルドーム６２、及び反射シート６４の互いに接着される前の状態を示す分解側面図である。
【図１０】図９に示す信号線層５２を示すＥ−Ｅ矢視の平面図である。
【図１１】図９に示すグランド層５６を示すＦ−Ｆ矢視の平面図である。
【図１２】図１に示す第２筐体８を示す平面図である。
【符号の説明】
【００６４】
２  折畳み型携帯電話機
４  ヒンジ
６  第１筐体
８  第２筐体
１０  表示部
１２  スピーカー
１４  操作部
１６  マイクロホン
１８  上側ケース
２０  下側アケース
２２  リジッド基板（第１回路基板）
２２ａ  第１面
２２ｂ  第２面
２２ｃ  端部
２２ｄ，２２ｅ  給電端子
２４  シールドケース
２６  カバー
２８  キーＦＰＣ（第２回路基板）
２８ａ  第１面
２８ｂ  第２面
３０  キー構造シート
３２  第１アンテナ
３４  第２アンテナ
３６，３８  基準電位パターン
３９  取付け凹部
４０  嵌合穴
４２  導体パターン
４２ａ，４２ｂ  端部
４３ａ，４３ｂ  端子
４４  天面
４５  切欠き部
４６  天面
４８  キースイッチ
５０  絶縁層
５２  信号線層
５２ａ  面
５４  絶縁層
５６  グランド層
５８  絶縁層
６０  フレキシブルプリント基板
６２  メタルドーム
６４  反射シート
６６  スイッチ端子
６６ａ，６６ｂ  端子
６８  ＬＥＤ
７０  ドーム用孔
７２  基準電位パターン
７４  配線パターン
７４ａ，７４ｂ  端部
７６  配線パターン
７８  シート
８０  キートップ
８１  操作面
８２  キー孔
【図１】
2006238204.tif 000003
【図２】
2006238204.tif 000004
【図３】
2006238204.tif 000005
【図４】
2006238204.tif 000006
【図５】
2006238204.tif 000007
【図６】
2006238204.tif 000008
【図７】
2006238204.tif 000009
【図８】
2006238204.tif 000010
【図９】
2006238204.tif 000011
【図１０】
2006238204.tif 000012
【図１１】
2006238204.tif 000013
【図１２】
2006238204.tif 000014